(57)【要約】【課題】ＬＡＮに接続されていなくても盗難防止の効果を奏するテレビジョン受信機を提供する。【解決手段】外部メモリ３００を装着可能な外部メモリインターフェース３と、外部メモリ３００が外部メモリインターフェース３に装着されているか否かを判断し、さらに、外部メモリ３００が外部メモリインターフェース３に装着されている場合には外部メモリ３００に所定の情報が記録されているか否かを判断し、外部メモリ３００が外部メモリインターフェース３に装着されていないと判断した場合、又は、外部メモリ３００に所定の情報が記録されていないと判断した場合に、コンテンツの映像表示・音声出力を遮断する遮断部（信号出力制御回路６及びＣＰＵ１０）とを備えるテレビジョン受信機。【選択図】図１
2012156746.tif 000002
【特許請求の範囲】
【請求項１】
外部付属品を装着可能な外部付属品装着部と、
前記外部付属品が前記外部付属品装着部に装着されているか否かを判断し、前記外部付属品が前記外部付属品装着部に装着されていないと判断した場合に、コンテンツの映像表示・音声出力を遮断する遮断部とを備えることを特徴とするテレビジョン受信機。
【請求項２】
前記外部付属品が外部メモリであり、
前記遮断部が、前記外部メモリに所定の情報が記録されているか否かも判断し、前記外部メモリに所定の情報が記録されていないと判断した場合にも、前記コンテンツの映像表示・音声出力を遮断する請求項１に記載のテレビジョン受信機。
【請求項３】
前記コンテンツの映像表示・音声出力が開始された後においても、前記遮断部が、前記外部付属品が前記外部付属品装着部に装着されているか否かを判断し、前記外部付属品が前記外部付属品装着部に装着されていないと判断した場合に、前記コンテンツの映像表示・音声出力を遮断する請求項１または請求項２に記載のテレビジョン受信機。
【請求項４】
前記所定の情報が、前記テレビジョン受信機に固有に付与されるＩＤコードである請求項２に記載のテレビジョン受信機。
【請求項５】
外部メモリを装着可能な外部メモリインターフェースと、
前記外部メモリが前記外部メモリインターフェースに装着されているか否かを判断し、さらに、前記外部メモリが前記外部メモリインターフェースに装着されている場合には前記外部メモリに所定の情報が記録されているか否かを判断し、前記外部メモリが前記外部メモリインターフェースに装着されていないと判断した場合、又は、前記外部メモリに所定の情報が記録されていないと判断した場合に、通常動作の実行を遮断する遮断部とを備えることを特徴とする電子機器。
【発明の詳細な説明】
【技術分野】
【０００１】
本発明は、盗難防止機能を有するテレビジョン受信機及び電子機器に関する。
【背景技術】
【０００２】
盗難防止関連技術として、無線あるいは有線のＬＡＮ（Local Area Network）を用いて盗難品とみなされる電子機器に対して外部から当該電子機器が起動できないようにロックを掛けるという技術があった。
【先行技術文献】
【特許文献】
【０００３】
【特許文献１】特開２００５−１２２７０５号公報
【特許文献２】特開２００３−１５７１２３号公報
【発明の概要】
【発明が解決しようとする課題】
【０００４】
しかしながら、ＬＡＮの接続が必ずしも必要でない電子機器についてはＬＡＮに接続されることなく使用される場合があり、このような場合にはＬＡＮを用いて外部からロックを掛けることはできない。
【０００５】
本発明は、上記のような状況に鑑み、ＬＡＮに接続されていなくても盗難防止の効果を奏するテレビジョン受信機及び電子機器を提供することを目的とする。
【課題を解決するための手段】
【０００６】
上記目的を達成するために本発明に係るテレビジョン受信機は、外部付属品を装着可能な外部付属品装着部と、前記外部付属品が前記外部付属品装着部に装着されているか否かを判断し、前記外部付属品が前記外部付属品装着部に装着されていないと判断した場合に、コンテンツの映像表示・音声出力を遮断する遮断部とを備える構成（第１の構成）とする。
【０００７】
また、上記第１の構成のテレビジョン受信機において、前記外部付属品が外部メモリであり、前記遮断部が、前記外部メモリに所定の情報が記録されているか否かも判断し、前記外部メモリに所定の情報が記録されていないと判断した場合にも、前記コンテンツの映像表示・音声出力を遮断する構成（第２の構成）にしてもよい。
【０００８】
また、上記第１の構成または上記第２の構成のテレビジョン受信機において、前記コンテンツの映像表示・音声出力が開始された後においても、前記遮断部が、前記外部付属品が前記外部付属品装着部に装着されているか否かを判断し、前記外部付属品が前記外部付属品装着部に装着されていないと判断した場合に、前記コンテンツの映像表示・音声出力を遮断する構成にしてもよい。
【０００９】
また、上記第２の構成のテレビジョン受信機において、前記所定の情報が、前記テレビジョン受信機に固有に付与されるＩＤコードである構成にしてもよい。
【００１０】
上記目的を達成するために本発明に係る電子機器は、外部メモリを装着可能な外部メモリインターフェースと、前記外部メモリが前記外部メモリインターフェースに装着されているか否かを判断し、さらに、前記外部メモリが前記外部メモリインターフェースに装着されている場合には前記外部メモリに所定の情報が記録されているか否かを判断し、前記外部メモリが前記外部メモリインターフェースに装着されていないと判断した場合、又は、前記外部メモリに所定の情報が記録されていないと判断した場合に、通常動作の実行を遮断する遮断部とを備える構成とする。
【発明の効果】
【００１１】
本発明に係るテレビジョン受信機によると、テレビジョン受信機にとっての「外部付属品」が、自動車にとっての「イグニッションキー」のような役目を果たすことになるので、ＬＡＮに接続されていなくても盗難防止の効果を奏する。
【００１２】
また、本発明に係る電子機器によると、電子機器にとっての「外部メモリ」が、自動車にとっての「イグニッションキー」のような役目を果たすことになるので、ＬＡＮに接続されていなくても盗難防止の効果を奏する。
【図面の簡単な説明】
【００１３】
【図１】本発明の一実施形態に係るテレビジョン受信機のブロック図である。
【図２】本発明の一実施形態に係るテレビジョン受信機の概略動作を示すフローチャートである。
【図３】本発明の一実施形態に係るテレビジョン受信機の概略動作を示すフローチャートである。
【図４】本発明の一実施形態に係るテレビジョン受信機の概略動作の変形例を示すフローチャートである。
【発明を実施するための形態】
【００１４】
本発明の実施形態について図面を参照して以下に説明する。
【００１５】
本発明の一実施形態に係るテレビジョン受信機のブロック図を図１に示す。図１に示す本発明の一実施形態に係るテレビジョン受信機は、チューナ１と、外部入力端子２と、外部メモリインターフェース３と、切替回路４と、信号処理回路５と、信号出力制御回路６と、加算器７と、表示装置８と、スピーカ９と、ＣＰＵ（Central Processing Unit）１０と、メモリ１１と、リモコン受光部１２と、本体操作部１３と、ＯＳＤ（On Screen Display）表示回路１４とを備えている。外部メモリインターフェース３が請求項に記載されている「外部付属品装着部」の一例に相当し、信号出力制御回路６及びＣＰＵ１０が請求項に記載されている「遮断部」に相当する。
【００１６】
アンテナ１００は放送電波を受信し、受信信号をチューナ１に供給する。チューナ１は、ＣＰＵ１０からのチャンネル選択信号に従って選局し、映像音声データを出力する。
【００１７】
外部入力端子２はＤＶＤレコーダ等の外部機器２００から出力される映像音声データを入力する。
【００１８】
外部メモリインターフェース３は、ＣＰＵ１０の指示に従って、外部メモリ３００に記憶されているデータを読み出す。外部メモリ３００に記憶されているデータが映像データ、音声データ、または映像音声データであれば、外部メモリインターフェース３によって読み出されたデータは切替回路４に出力される。一方、外部メモリ３００に記憶されているデータが盗難防止用データであれば、外部メモリインターフェース３によって読み出されたデータはＣＰＵ１０に出力される。
【００１９】
切替回路４は、チューナ１から出力されるデータ、外部入力端子２から出力されるデータ、外部メモリ３から出力されるデータのうちのいずれか一つを選択して信号処理回路５に送出する。
【００２０】
信号処理回路５は、切替回路４から出力されるデータに対して各種の信号処理を施して映像信号及び／又は音声信号を生成して出力する。
【００２１】
信号出力制御回路６は、ＣＰＵ１０によって映像・音声の遮断が指示されていなければ、信号処理回路５から出力される映像信号を加算器７に送出し、信号処理回路５から出力される音声信号をスピーカ９に送出する。一方、ＣＰＵ１０によって映像・音声の遮断が指示されている場合、信号出力制御回路６は、信号処理回路５から出力される映像信号の加算器７への送出、及び、信号処理回路５から出力される音声信号のスピーカ９への送出を停止する。
【００２２】
ＣＰＵ１０は、ユーザーによるキー操作を受け付ける本体操作部１３から出力される操作コマンドあるいはユーザーによるキー操作を受け付けるリモコン送信機４００から送信されるリモコン赤外線信号を受光するリモコン受光部１２から出力される操作コマンドに応じて、テレビジョン受信機の各種制御を行う。
【００２３】
メモリ１１は、ＣＰＵ１０がテレビジョン受信機の各種制御を行うために必要な各種プログラム及び各種データを不揮発的に記憶している。メモリ１１が不揮発的に記憶している各種データには、後述するフロー動作の際に用いられる「一定時間」の値及び「盗難防止用データ」が含まれる。なお、後述するステップＳ６０及びステップＳ１６０での「一定時間」と、後述するステップＳ１００及びステップＳ１４０での「一定時間」とは、同じ値であっても異なる値であってもよい。
【００２４】
ＣＰＵ１０は、上述した操作コマンドあるいはメッセージ表示の必要性に応じて、ＯＳＤ表示回路１４にＯＳＤ制御信号を送出する。
【００２５】
ＯＳＤ回路１４は、ＣＰＵ１０から送られてきたＯＳＤ制御信号に基づいてＯＳＤ信号を生成し、そのＯＳＤ信号を加算器７に出力する。
【００２６】
加算器７は、信号出力制御回路６から出力される映像信号に、ＯＳＤ回路１４から出力されるＯＳＤ信号をスーパーインポーズし、その結果得られた映像信号を表示装置８に供給する。
【００２７】
表示装置８は、加算器７から供給された映像信号に応じた映像を表示画面に表示する。また、スピーカ９は、信号出力制御回路６から供給された音声信号に応じた音声を発する。
【００２８】
上記のような構成である本発明の一実施形態に係るテレビジョン受信機の概略動作について図２及び図３のフローチャートを参照して説明する。
【００２９】
ユーザーによる本体操作部１３又はリモコン送信機４００のキー操作で、本発明の一実施形態に係るテレビジョン受信機の電源がオンになったとき、または、本発明の一実施形態に係るテレビジョン受信機が待機状態になったときに、図２に示すフローチャート動作が開始される。
【００３０】
図２に示すフローチャート動作の開始時には、ＣＰＵ１０は、信号出力制御回路６を制御して、信号出力制御回路６が、信号処理回路５から出力される映像信号の加算器７への送出、及び、信号処理回路５から出力される音声信号のスピーカ９への送出を停止するようにする。
【００３１】
まず、ＣＰＵ１０は、リモコン受光部１２の出力信号に基づいて、ユーザーがテレビジョン受信機の電源をオンにしたか否かを判定する（ステップＳ１０）。
【００３２】
ユーザーがテレビジョン受信機の電源をオンにしたと判定されなかった場合（ステップＳ１０のＮＯ）、再度ステップＳ１０の判定が実行される。一方、ユーザーがテレビジョン受信機の電源をオンにしたと判定された場合（ステップＳ１０のＹＥＳ）、ステップＳ２０に移行する。
【００３３】
ステップＳ２０において、ＣＰＵ１０は、外部メモリインターフェース３に外部メモリ３００が装着されているか否かを判定する。
【００３４】
外部メモリインターフェース３に外部メモリ３００が装着されていなければ（ステップＳ２０のＮＯ）、ユーザーに対して警告を行う（ステップＳ５０）。ここでの警告の一例としては、「外部メモリを取り付けて下さい」というメッセージをＯＳＤ表示する警告表示が考えられる。このような警告表示によってユーザーに外部メモリ３００の装着を促すことができる。一方、外部メモリインターフェース３に外部メモリ３００が装着されていれば（ステップＳ２０のＹＥＳ）、ＣＰＵ１０は、外部メモリ３００に正しいファイルが記録されているか否かを判定する（ステップＳ３０）。当該判定では、外部メモリ３００から読み出したファイルと、メモリ１１に記憶されている盗難防止用データとを照合し、両者が一致した場合に外部メモリ３００に正しいファイルが記録されているものとする。
【００３５】
外部メモリ３００に正しいファイルが記録されていなければ（ステップＳ３０のＮＯ）、ユーザーに対して警告を行う（ステップＳ５０）。ここでの警告の一例としては、「外部メモリが正しくありません」というメッセージをＯＳＤ表示する警告表示が考えられる。このような警告表示によってユーザーに正しい外部メモリ３００の装着を促すことができる。一方、外部メモリ３００に正しいファイルが記録されていれば（ステップＳ３０のＹＥＳ）、ＣＰＵ１０は、信号出力制御回路６を制御して、信号出力制御回路６が、信号処理回路５から出力される映像信号の加算器７への送出、及び、信号処理回路５から出力される音声信号のスピーカ９への送出を停止しないようにする。これにより、通常動作（テレビ放送局から提供されているコンテンツであるテレビ番組の映像表示・音声出力、外部機器２００や外部メモリ３００から供給されるコンテンツの映像表示・音声出力）が開始される（ステップＳ４０）。
【００３６】
ステップＳ５０の処理の後、ＣＰＵ１０は、内蔵タイマー（不図示）を用いて、ステップＳ５０の処理実行時から一定時間が経過したか否かを判定する（ステップＳ６０）。ステップＳ５０の処理実行時から一定時間が経過するまでは、ステップＳ５０の警告が続行され、ステップＳ５０の処理実行時から一定時間が経過すると（ステップＳ６０のＹＥＳ）、ステップＳ７０に移行する。
【００３７】
ステップＳ７０において、ＣＰＵ１０は、現在の警告が２回目の警告であるか否かを判定する。なお、ここでの「２回目」は例示であり、「２回目」よりも多い回数を設定しても良い。２回目の警告でなければ（ステップＳ７０のＮＯ）、ステップＳ２０に戻り、外部メモリインターフェース３に外部メモリ３００が装着されている状態に変化したか否かを確認する。一方、２回目の警告であれば（ステップＳ７０のＹＥＳ）、信号出力制御回路６が、信号処理回路５から出力される映像信号の加算器７への送出、及び、信号処理回路５から出力される音声信号のスピーカ９への送出を停止する状態を継続して、テレビ番組の映像・音声、外部機器２００や外部メモリ３００から供給されるコンテンツの映像・音声を遮断したままで（ステップＳ８０）、図２に示すフロー動作を終了する。
【００３８】
上述したステップＳ４０の処理後、図３に示すフロー動作が実行される。図３に示すフロー動作では、まず、ＣＰＵ１０が、内蔵タイマーをリセットし（ステップＳ９０）、内蔵タイマーをリセットしてから一定の時間が経過したか否かを判定する（ステップＳ１００）。内蔵タイマーをリセットしてから一定の時間が経過すると（ステップＳ１００のＹＥＳ）、ステップＳ１１０に移行する。
【００３９】
ステップＳ１１０において、ＣＰＵ１０は、外部メモリインターフェース３に外部メモリ３００が装着されているか否かを判定する。
【００４０】
外部メモリインターフェース３に外部メモリ３００が装着されていなければ（ステップＳ１１０のＮＯ）、ユーザーに対して警告を行う（ステップＳ１５０）。ここでの警告の一例としては、「外部メモリを取り外されています」というメッセージをＯＳＤ表示する警告表示が考えられる。このような警告表示によってユーザーに外部メモリ３００の再装着を促すことができる。一方、外部メモリインターフェース３に外部メモリ３００が装着されていれば（ステップ１１０のＹＥＳ）、ＣＰＵ１０は、外部メモリ３００に正しいファイルが記録されているか否かを判定する（ステップＳ１２０）。当該判定では、外部メモリ３００から読み出したファイルと、メモリ１１に記憶されている盗難防止用データとを照合し、両者が一致した場合に外部メモリ３００に正しいファイルが記録されているものとする。
【００４１】
外部メモリ３００に正しいファイルが記録されていなければ（ステップＳ１２０のＮＯ）、ユーザーに対して警告を行う（ステップＳ１５０）。ここでの警告の一例としては、「外部メモリが正しくありません」というメッセージをＯＳＤ表示する警告表示が考えられる。このような警告表示によってユーザーに正しい外部メモリ３００の再装着を促すことができる。一方、外部メモリ３００に正しいファイルが記録されていれば（ステップＳ１２０のＹＥＳ）、ＣＰＵ１０は、内蔵タイマーをリセットし（ステップＳ１３０）、内蔵タイマーをリセットしてから一定の時間が経過したか否かを判定する（ステップＳ１４０）。内蔵タイマーをリセットしてから一定の時間が経過すると（ステップＳ１４０のＹＥＳ）、ステップＳ１１０に戻る。
【００４２】
ステップＳ１５０の処理の後、ＣＰＵ１０は、内蔵タイマーを用いて、ステップＳ１５０の処理実行時から一定時間が経過したか否かを判定する（ステップＳ１６０）。ステップＳ１５０の処理実行時から一定時間が経過するまでは、ステップＳ１５０の警告が続行され、ステップＳ１５０の処理実行時から一定時間が経過すると（ステップＳ１６０のＹＥＳ）、ステップＳ１７０に移行する。
【００４３】
ステップＳ１７０において、ＣＰＵ１０は、現在の警告が通常動作開始後の２回目の警告であるか否かを判定する。なお、ここでの「２回目」は例示であり、「２回目」よりも多い回数を設定しても良い。２回目の警告でなければ（ステップＳ１７０のＮＯ）、ステップＳ１１０に戻り、外部メモリインターフェース３に外部メモリ３００が再装着されている状態に変化したか否かを確認する。一方、２回目の警告であれば（ステップＳ１７０のＹＥＳ）、ＣＰＵ１０は、信号出力制御回路６を制御して、信号出力制御回路６の動作状態を切り替える。すなわち、信号出力制御回路６が、信号処理回路５から出力される映像信号の加算器７への送出、及び、信号処理回路５から出力される音声信号のスピーカ９への送出を停止しない状態から、信号出力制御回路６が、信号処理回路５から出力される映像信号の加算器７への送出、及び、信号処理回路５から出力される音声信号のスピーカ９への送出を停止する状態に切り替える（ステップＳ１８０）。ステップＳ１８０の処理を終えると、図３に示すフロー動作を終了する。
【００４４】
上述した動作により、本発明の一実施形態におけるテレビジョン受信機にとっての「正しいファイルが記録されている外部メモリ３００」が、自動車にとっての「イグニッションキー」のような役目を果たすことになる。したがって、本発明の一実施形態におけるテレビジョン受信機の販売時には、本発明の一実施形態におけるテレビジョン受信機と「正しいファイルが記録されている外部メモリ３００」とを別々に保管しておくことで、本発明の一実施形態におけるテレビジョン受信機の盗難を抑止することができる。また、ユーザーが本発明の一実施形態におけるテレビジョン受信機を購入した後でも、本発明の一実施形態におけるテレビジョン受信機の不使用時に、本発明の一実施形態におけるテレビジョン受信機と「正しいファイルが記録されている外部メモリ３００」とを別々に保管しておくことで、本発明の一実施形態におけるテレビジョン受信機の盗難を抑止することができる。また、例えば、親が子供にテレビジョン受信機を使用させたくない場合に、親が「正しいファイルが記録されている外部メモリ３００」を保管することで、子供のテレビ視聴時間などを管理することができる。
【００４５】
以上、本発明に係る実施形態について説明したが、本発明の範囲はこれに限定されるものではなく、発明の主旨を逸脱しない範囲で種々の変更を加えて実行することができる。
【００４６】
例えば、図３に示すフロー動作の代わりに図４に示すフロー動作を実行してもよい。図４に示すフロー動作では、ＣＰＵ１０が、常時、外部メモリインターフェース３に外部メモリ３００が装着されているか否かを監視する（ステップＳ１９０）。そして、外部メモリインターフェース３から外部メモリ３００が取り外されると（ステップＳ１９０のＮＯ）、ＣＰＵ１０は、直ちに信号出力制御回路６を制御して、信号出力制御回路６の動作状態を切り替える。すなわち、信号出力制御回路６が、信号処理回路５から出力される映像信号の加算器７への送出、及び、信号処理回路５から出力される音声信号のスピーカ９への送出を停止しない状態から、信号出力制御回路６が、信号処理回路５から出力される映像信号の加算器７への送出、及び、信号処理回路５から出力される音声信号のスピーカ９への送出を停止する状態に切り替える（ステップＳ２００）。ステップＳ２００の処理を終えると、図４に示すフロー動作を終了する。
【００４７】
上述した実施形態及びその変形例では、メモリ１１に記憶されている盗難防止用データは各テレビジョン受信機で共通のものを用いることを想定している。この場合、テレビジョン受信機の電源がオンになったときに、一度だけ「正しいファイルが記録されている外部メモリ３００」が装着されているかを確認する構成にすると、１個の「正しいファイルが記録されている外部メモリ３００」が複数のテレビジョン受信機で使い回されるおそれがある。そこで、上述した実施形態及びその変形例では、図３に示すフロー動作や図４に示すフロー動作を行う構成にすることで、１個の「正しいファイルが記録されている外部メモリ３００」が複数のテレビジョン受信機で使い回されることを防止している。
【００４８】
なお、メモリ１１に記憶されている盗難防止用データはテレビジョン受信機毎に異なるものにしてもよい。例えば、テレビジョン受信機に個別に付与されるＩＤ（identification）コードを盗難防止用データに流用することが可能である。このように、メモリ１１に記憶されている盗難防止用データはテレビジョン受信機毎に異なるものにした場合、図３に示すフロー動作や図４に示すフロー動作を行わない構成にしてもよい。
【００４９】
外部メモリ３００及び外部メモリインターフェース３には、例えばＵＳＢ（Universal Serial Bus）メモリおよびＵＳＢインターフェースのように汎用コネクタを有するものを用いてもよく、規格化されていない特殊形状のコネクタを有するものを用いてもよい。外部メモリ３００及び外部メモリインターフェース３を規格化されていない特殊形状のコネクタを有するものにした方が、盗難防止効果は高くなる。
【００５０】
また、上述した実施形態及びその変形例では、本発明をテレビジョン受信機に適用したが、本発明はテレビジョン受信機以外の電子機器にも適用可能である。本発明をテレビジョン受信機以外の電子機器に適用する場合、コンテンツの映像表示・音声出力（テレビジョン受信機の通常動作）を遮断する代わりに、電子機器の通常動作を遮断することになる。
【００５１】
また、「正しいファイルが記録されている外部メモリ３００」の代わりに、物理的な鍵を外部付属品として用いてもよい。この場合、外部メモリインターフェース３を物理的な鍵を装着可能な鍵装着部にし、物理的な鍵が鍵装着部に装着されていなければ、通常動作（テレビ放送局から提供されているコンテンツであるテレビ番組の映像表示・音声出力、外部機器２００や外部メモリ３００から供給されるコンテンツの映像表示・音声出力）が開始されないようにすればよい。
【符号の説明】
【００５２】
１  チューナ
２  外部入力端子
３  外部メモリインターフェース
４  切替回路
５  信号処理回路
６  信号出力制御回路
７  加算器
８  表示装置
９  スピーカ
１０  ＣＰＵ
１１  メモリ
１２  リモコン受光部
１３  本体操作部
１４  ＯＳＤ表示回路
１００  アンテナ
２００  外部機器
３００  外部メモリ
４００  リモコン送信機
【図１】
2012156746.tif 000003
【図２】
2012156746.tif 000004
【図３】
2012156746.tif 000005
【図４】
2012156746.tif 000006